(57)【要約】【課題】排泄物を貯留するポットを具備した構造とする市販のポータブルトイレを採用することでコスト面での軽減を図り、消臭殺菌能力に効率的な構造を成して簡単、簡易性・可搬性にすぐれたポータブルトイレを提供することを目的とする。【解決手段】ポータブルトイレ本体の内部側面に固定又は着脱自在に消臭殺菌装置を装備し、排泄物を一次貯留するポットに消臭殺菌装置の能力を効率的に作用させるための通気孔を設けるのを特徴とした通気孔付ポットを具備する消臭殺菌装置付ポータブルトイレ。【選択図】      図１
2004267706.tif 000002
【特許請求の範囲】
【請求項１】
消臭殺菌装置をポータブルトイレ本体の内部壁面に固定又は着脱自在に装備し、排泄物貯留ポットに通気孔を設けるのを特徴として、通気孔付ポットを具備する消臭殺菌装置付ポータブルトイレ。
【発明の詳細な説明】
【０００１】
【発明の属する技術分野】
本発明は可搬性のポータブルトイレであって、使用後の排泄物臭気を室内に拡散することなく消臭殺菌を効率よくするため、排泄物貯留ポットに通気孔を設けた通気孔付ポットを具備する消臭殺菌装置付ポータブルトイレに関する。
【０００２】
【従来の技術】
従来、やむを得ずポータブルトイレの使用が必要となった時、室内に設置して使用するのであるが、排便後は蓋で密封し臭気が外部へ漏れるの防止するだけであった。しかし臭気を排除する手段にはならず排泄物の臭気は室内に拡散され同室の患者にも不快感を与えるばかりでなく、まして便の臭気は後始末する介護者にとっても大変な苦労を強いられ、患者自身も悲観的になりがちでその精神的な苦痛は大きく、人によっては便秘になる要因ともなっている。又「爺ちゃんの部屋は臭いからいやだ」という理由で、可愛い孫達も次第に寄り付かなくなり哀しく寂しい日々過ごしている老人や患者もたくさんいる。
【０００３】
このようなポータブルトイレの欠点である排泄物臭気の問題点や室内拡散の防止対策解決のために消臭剤散布から、排泄物の加熱微生物分解、攪拌方式、発酵分解式処理法などと数多くの出願提案がなされている。
【０００４】
例えば特開平１１−２４４１９３は、浄化剤供給方法、特開２０００−１６６８１０Ａは熱触媒式脱臭部にて消臭し、特開２００１−２５８７９１（Ｐ２００１−２５８７９１Ａ）は吸引口を有する脱臭ユニットを設ける構造とするなど、又本発明にあえて類似する出願として挙げれば特開２０００−２０１８５６（Ｐ２０００−２０１８５６Ａ）の空気の流れに関する出願がある。
【０００５】
【発明が解決しようとする課題】
しかし上述の出願ではいずれも本発明が意図する簡便効率化の解決策としての目的を達成しているものではない。それに特開２０００−２０１８５６（Ｐ２０００−２０１８５６Ａ）の出願では、空気吸引口より吸入された悪臭を含む空気は空気排出口と連動して設けられる空気通路内を通り空気排気口に儲ける活性炭利用の脱臭装置を介して消臭され排気ファンで外部へ強制排気する方法で解決するとあるが、万一脱臭能力が低下した場合は逆に悪臭を外部へ放出拡散させる懸念があるのではと推察される。又、構造的にも複雑な為その分コスト高となる。
【０００６】
そこで、本発明ではより消臭殺菌能力に効率的な構造とする手段を考察する事を課題として解決法を探し、簡単な構造で簡易性・利便性にすぐれたポータブルトイレを提供することを目的とするものである。
【０００７】
【課題を解決するための手段】
上記課題を解決するためにまず本発明では、市場一般に出回っている排泄物貯留ポットを具備した構造とする可搬性のポータブルトイレを採用しコスト面での軽減を図る事とした。即ち、いろいろな構造やデザインのポータブルトイレに対応するものである。
【０００８】
ポータブルトイレ本体の内部壁面に固定又は着脱自在に消臭殺菌装置を装備し、又、排泄物を一次貯留するポットに通気孔を設けて、消臭殺菌装置の能力を効率的に作用させるため、ポットの構造改良に工夫を加えることにした。
【０００９】
【発明の実施の形態】
以下、本発明の実施の形態を実施例にもとづき図面を参照して説明する。
図１は本発明の実施の一例とする通気孔付ポット３４を具備する消臭殺菌装置２１付ポータブルトイレの構成を示す要部側断面図である。
【００１０】
図２は本発明の通気孔３３を設けた通気孔付ポット３４をポータブルトイレ本体１１に装着した状態を示す斜視図である。
【００１１】
図３は本発明の通気孔３３を設けた通気孔付ポット３４の単体の斜視図である。
【００１２】
本実施例のポータブルトイレは通常に普及している可搬性のポータブルトイレであって、ポータブルトイレ本体１１の中央空間部には排泄物を一次貯留するためのバケツ形状とした排泄物貯留ポット３１と、ポータブルトイレ本体１１との組み合わせで構成するポータブルトイレの構造となっている。
【００１３】
ポータブルトイレ本体１１の上面に開閉自在に便座蓋１２及び便座１３を設け、ポータブルトイレ本体１１の内側後方壁面に消臭殺菌装置２１を装備し、該消臭殺菌装置２１にはオゾン・紫外線等を放射する消臭殺菌灯２２を採用している。
【００１４】
本実施例の排泄物貯留ポット３１は側壁面周囲の適当とする高さと位置に複数の通気孔３３を配列群として設け通気孔付ポット３４として完成する。即ち通気孔付ポット３４はポット内とポータブルトイレ本体１１内の空気循環を促し消臭殺菌機能の効率化を図るのを特徴とした本発明の請求項１に記載の通気孔付ポットを具備する消臭殺菌装置付ポータブルトイレである。
【００１５】
本発明の通気孔付ポット３４に設ける通気孔３３の配置について説明する。図２、図３で明示する通り複数の通気孔３３の集合配列群を設定する場所を、消臭殺菌装置２１の正面に位置する箇所とする、即ち消臭殺菌装置４から発する放射線が通気孔３３より進入しポット内部へ充分効率的に作用するためである。
【００１６】
さらに排泄物貯留ポット３１内部の空気とポータブルトイレ本体１１内の空気の循環を活発に行うために通気孔３３の集合配列群を排泄物貯留ポット３１の両側面左右の２箇所にも設定し、空気の入れ替えを容易に促してより消臭殺菌作用の効率化を図る。
【００１７】
又、排泄物貯留ポット３１の前面部とする箇所には一次貯留した排泄物の洗い流しに支障がないように通気孔３３の集合配列群を設けない。
【００１８】
尚、複数とする通気孔３３の孔数及び該通気孔３３で構成する集合配列群の群数は特別に指定するものではないが実際の使用テストによると、通気孔３３の孔数は１６個前後から成る集合配列群を後方と両側面の三箇所が望ましい。
【００１９】
又通気孔３３の孔径寸に於いても特別の寸法指定を必要とはしながテストデーターでは１０ｍｍ前後とすることが程よく空気流動循環と消臭殺菌作用効果の時間的バランスが良く、消臭殺菌装置の機能面で効率的結果が生まれた。
【００２０】
又、消臭除菌された通気孔付ポット３４内及びポータブルトイレ本体１１内の空気はポータブルトイレ本体側面に開口されたポータブルトイレに設けられた持ち手部分を外部換気孔４１より外部へ自然排出循環されて外部空気も含めて繰り返し消臭除菌をする。
【００２１】
消臭殺菌装置２１について、補足的説明を記載する。本発明の実施例で示す消臭殺菌装置２１にはオゾン・紫外線等を放射する特殊石英ランプを採用した消臭殺菌灯２２であり、これは市場で簡単に入手できる。
【００２２】
該消臭殺菌灯２２から放射される３つの放射線の消臭殺菌能力は周知のものとされ商品説明にも次の通り明記している。その１つは波長１８４．９ｎｍのオゾンで空気中の酸素をオゾン化させマイナスイオンを発生して強力な酸化作用で大気中の有臭物質を消去し、臭気を抑える効果がある。もう１つの放射線は波長２５３．７ｎｍの殺菌放射線で、１メートルの距離では役２分間で９９．９％殺菌可能として日光消毒の約２８倍の強さである。それにオゾン線を発生させる殺菌灯という特徴を持つ。と記している。
【００２３】
上述の通り強力な消臭殺菌効果を発揮する特殊石英ランプを採用した消臭殺菌灯２２を装備する本発明の消臭殺菌装置２１は本発明に多大な効果的威力を発揮する。即ち、従来からの観念では「臭いものには蓋をせよ」の言葉どおり有臭物質は封じ込む方式で外に漏らさない考え方が普通であったが、本発明では排泄物貯留ポット３１に通気孔３３を複数設けて空気のながれを自由にして且ポット内に貯留する排泄物の悪臭を殺菌浄化することを可能にし、本発明を完成させることができた。即ち逆転の発想から生まれたものである。
【００２４】
尚、消臭殺菌装置２１は本実施例で示す石英ランプ方式だけに限るものではなく消臭殺菌に効果的な活性炭などのいろいろな機能の装置に置き換えることも可能である。
【００２５】
消臭殺菌装置２１は便座を持ち上げてスイッチＯＮや、タイマーによるスイッチＯＦＦなどの機能を装備しても良い。
【００２６】
【発明の効果】
排泄後は便蓋を閉じて消臭殺菌装置のスイッチをＯＮにして放置するだけでポータブルトイレ内の臭気は通気孔付ポットの構造上放射腺が通気孔を通過する際、消臭殺菌装置の機能を効率的に作用させ時間の経過に伴い空気中の大腸菌までも殺菌されて、室内全体の空気まで浄化しオゾン発生によるマイナスイオンの効果でさわやかな爽快感を再現する効果が期待できる・即ち同室の患者にも不快感を与えることもなく、まして介護者にとっては臭いに悩まされることもなく後始末作業が楽になる。患者自身も周囲が気にならず精神的な苦痛も和らぎ、訪問者が入室してもいやな思いをさせることがない。
【００２７】
又、排泄中からスイッチＯＮで使用すればその時点から消臭機能の効果も働き、上面開口部が使用患者自身のお尻で覆われているため通気孔付ポット内の臭気はさほど外部に拡散することがないので気兼ねしなくて良い。しかも本発明で採用するポータブルトイレは市場一般に出回っている従来の規格品を採用し改造することも可能であり、特別の機械的構造を必要としないのでコスト面でも大変有利となる。又、利用者の要望によっては外観的に高級タイプや形状に対応する。
【図面の簡単な説明】
【図１】本発明の実施の一例とする通気孔付ポット３４を具備する消臭殺菌装置２１付ポータブルトイレの側面構成を示す要部断面図である。
【図２】本発明の通気孔３３を設けた通気孔付ポット３４をポータブルトイレ本体１１に装着した状態を示す斜視図である。
【図３】本発明の通気孔３３を設けた通気孔付ポット３４の単体の斜視図である。
【符号の説明】
１１    ポータブルトイレ本体
１２    便座蓋
１３    便座
２１    消臭殺菌装置
２２    殺菌灯
３１    排泄物貯留ポット
３２    ポット用上蓋
３３    通気孔
３４    通気孔付ポット
４１    外部換気孔
５１    電源コード
【図１】
2004267706.tif 000003
【図２】
2004267706.tif 000004
【図３】
2004267706.tif 000005